(57)【要約】【課題】　複数の撮像装置を用いた遠隔カメラシステムにおいて、複数の撮像装置のそれぞれにより取得された画像データを１の表示手段に表示するに際し、特定の撮像装置により取得される画像を容易に認識できるようにする。【解決手段】　デジタルカメラ１Ａをマスターカメラ、デジタルカメラ１Ｂ，１Ｃ，１Ｄをスレーブカメラに設定し、デジタルカメラ１Ａの撮影動作によりデジタルカメラ１Ｂ，１Ｃ，１Ｄにおいても撮影を行う。全てのデジタルカメラ１Ａ〜１Ｄにより取得される画像データはデジタルカメラ１Ａのモニタに表示されるが、デジタルカメラ１Ａにおいては、自身で取得した画像が他のデジタルカメラ１Ｂ，１Ｃ，１Ｄが取得した画像よりも大きいウィンドウサイズにて自身のモニタに表示される。【選択図】　　　　　図１
2004112771.tif 000002
【特許請求の範囲】
【請求項１】
　複数の撮像装置をネットワークを介して連携させて操作して画像データを取得する撮像装置制御方法において、
　前記複数の撮像装置のそれぞれにおいて取得された複数の前記画像データにより表される複数の画像を１つの表示手段に表示するに際し、所望とする撮像装置により取得された画像データにより表される画像を、他の撮像装置により取得された画像データにより表される画像とは異なるサイズにて前記表示手段に表示することを特徴とする撮像装置制御方法。
【請求項２】
　複数の撮像装置をネットワークを介して連携させて操作して画像データを取得する撮像装置制御方法において、
　前記複数の撮像装置のそれぞれにおいて取得された複数の前記画像データにより表される複数の画像を１つの表示手段に表示するに際し、前記複数の撮像装置の被写体からの距離に応じて、前記複数の画像を異なるサイズにて前記表示手段に表示することを特徴とする撮像装置制御方法。
【請求項３】
　前記表示された前記複数の画像のうち選択された画像を前記表示手段に拡大表示することを特徴とする請求項１または２記載の撮像装置制御方法。
【請求項４】
　複数の撮像装置をネットワークを介して連携させて操作して画像データを取得する撮像装置制御装置において、
　前記複数の撮像装置のそれぞれにおいて取得された複数の前記画像データにより表される複数の画像を１つの表示手段に表示するに際し、所望とする撮像装置により取得された画像データにより表される画像を、他の撮像装置により取得された画像データにより表される画像とは異なるサイズにて前記表示手段に表示する表示制御手段を備えたことを特徴とする撮像装置制御装置。
【請求項５】
　複数の撮像装置をネットワークを介して連携させて操作して画像データを取得する撮像装置制御装置において、
　前記複数の撮像装置のそれぞれにおいて取得された複数の前記画像データにより表される複数の画像を１つの表示手段に表示するに際し、前記複数の撮像装置の被写体からの距離に応じて、前記複数の画像を異なるサイズにて前記表示手段に表示する表示制御手段を備えたことを特徴とする撮像装置制御装置。
【請求項６】
　前記表示制御手段は、前記表示された前記複数の画像のうち選択された画像を前記表示手段に拡大表示する手段であることを特徴とする請求項４または５記載の撮像装置制御装置。
【請求項７】
　前記複数の撮像装置のうちの一の撮像装置に設けられてなることを特徴とする請求項４から６のいずれか１項記載の撮像装置制御装置。
【請求項８】
　複数の撮像装置をネットワークを介して連携させて操作して画像データを取得する撮像装置制御方法をコンピュータに実行させるためのプログラムにおいて、
　前記複数の撮像装置のそれぞれにおいて取得された複数の前記画像データにより表される複数の画像を１つの表示手段に表示するに際し、所望とする撮像装置により取得された画像データにより表される画像を、他の撮像装置により取得された画像データにより表される画像とは異なるサイズにて前記表示手段に表示する手順を有するプログラム。
【請求項９】
　複数の撮像装置をネットワークを介して連携させて操作して画像データを取得する撮像装置制御方法をコンピュータに実行させるためのプログラムにおいて、
　前記複数の撮像装置のそれぞれにおいて取得された複数の前記画像データにより表される複数の画像を１つの表示手段に表示するに際し、前記複数の撮像装置の被写体からの距離に応じて、前記複数の画像を異なるサイズにて前記表示手段に表示する手順を有するプログラム。
【請求項１０】
　前記表示された前記複数の画像のうち選択された画像を前記表示手段に拡大表示する手順をさらに有する請求項８または９記載のプログラム。
【発明の詳細な説明】
【技術分野】
【０００１】
　本発明は、例えば無線ＬＡＮのようなネットワークを介して接続された複数のカメラ等の撮像装置の動作を制御する撮像装置制御方法および装置並びに撮像装置制御方法をコンピュータに実行させるためのプログラムに関するものである。
【背景技術】
【０００２】
　遠隔地に設置されたカメラの映像をネットワークを介して鑑賞できるようにする遠隔カメラシステムが提案されている。このような遠隔カメラシステムは、単にカメラの映像を見ることができるだけでなく、カメラの向きやズーム倍率をも遠隔地から操作することができるものである。また、このような遠隔カメラシステムにおいて、１つのカメラから複数のカメラの動作を制御する方法も提案されている（例えば特許文献１参照）。
【特許文献１】特開２０００−１１３１６６号公報
【発明の開示】
【発明が解決しようとする課題】
【０００３】
　ところで、上記遠隔カメラシステムを、デジタルカメラに適用することも可能である。具体的には、複数のユーザの各々がデジタルカメラを所持している場合に、一のユーザがデジタルカメラを用いて撮影を行うと、他のユーザのデジタルカメラにおいても同時にあるいは連続して撮影を行わせることも可能である。このように、複数のデジタルカメラを連携させて操作することにより、様々なアングルから１つの被写体を同時に撮影することが可能となり、撮影の楽しみを広げることができる。また、複数のカメラによりそれぞれ取得された画像データを保管することにより、画像データの配布や画像データを用いてのアルバム作成等を容易に行うことが可能となる。
【０００４】
　ここで、遠隔カメラシステムにおいては、複数のカメラのそれぞれにより画像データが取得されるため、遠隔カメラシステムに用いられている複数のカメラのうちの一のカメラまたは画像データの管理を行うサーバにおいては、複数のカメラのそれぞれにより取得された画像データが表示される。この表示の態様は、例えば上記特許文献１に記載されているように、モニタを複数の領域に分割し、分割された領域の各々に各カメラにより取得された画像データを表示することが常である。
【０００５】
　しかしながら、複数の画像データを単に分割表示したのみでは、どのカメラからの指示により撮影を行っているのかが画像の表示画面を見ただけでは分からないという問題がある。また、複数のカメラのそれぞれに自身のカメラおよび他のカメラにより撮影する画像を表示する場合には、どの画像が自身のカメラの画像かが表示画面を見ただけでは分からないという問題がある。
【０００６】
　本発明は上記事情に鑑みなされたものであり、特定のカメラ等の撮像装置により取得される画像を容易に認識できるようにすることを目的とする。
【０００７】
　また、本発明は複数の撮像装置のそれぞれと被写体との距離が分かるように、各撮像装置により取得された画像を表示することを他の目的とする。
【課題を解決するための手段】
【０００８】
　本発明による第１の撮像装置制御方法は、複数の撮像装置をネットワークを介して連携させて操作して画像データを取得する撮像装置制御方法において、
　前記複数の撮像装置のそれぞれにおいて取得された複数の前記画像データにより表される複数の画像を１つの表示手段に表示するに際し、所望とする撮像装置により取得された画像データにより表される画像を、他の撮像装置により取得された画像データにより表される画像とは異なるサイズにて前記表示手段に表示することを特徴とするものである。
【０００９】
　本発明による第２の撮像装置制御方法は、複数の撮像装置をネットワークを介して連携させて操作して画像データを取得する撮像装置制御方法において、
　前記複数の撮像装置のそれぞれにおいて取得された複数の前記画像データにより表される複数の画像を１つの表示手段に表示するに際し、前記複数の撮像装置の被写体からの距離に応じて、前記複数の画像を異なるサイズにて前記表示手段に表示することを特徴とするものである。
【００１０】
　「撮像装置」とは、被写体を撮影することにより被写体の画像を表すデジタルの画像データを取得する撮影専用のデジタルカメラのみならず、携帯電話やＰＤＡ等の通信機能を有する携帯端末装置に搭載されるデジタルカメラをも含む。
【００１１】
　「被写体」とは、複数の撮像装置が同時に撮影しようとしているあるいは撮影した被写体をいう。
【００１２】
　「被写体からの距離に応じて異なるサイズにて表示手段に表示する」とは、被写体からの距離が大きい撮像装置により取得された画像データにより表される画像ほど小さいサイズで表示する、あるいは逆に被写体からの距離が大きい撮像装置により取得された画像データにより表される画像ほど大きいサイズで表示することをいう。
【００１３】
　なお、本発明による第１および第２の撮像装置制御方法においては、前記表示された前記複数の画像のうち選択された画像を前記表示手段に拡大表示してもよい。
【００１４】
　本発明による第１の撮像装置制御装置は、複数の撮像装置をネットワークを介して連携させて操作して画像データを取得する撮像装置制御装置において、
　前記複数の撮像装置のそれぞれにおいて取得された複数の前記画像データにより表される複数の画像を１つの表示手段に表示するに際し、所望とする撮像装置により取得された画像データにより表される画像を、他の撮像装置により取得された画像データにより表される画像とは異なるサイズにて前記表示手段に表示する表示制御手段を備えたことを特徴とするものである。
【００１５】
　本発明による第２の撮像装置制御装置は、複数の撮像装置をネットワークを介して連携させて操作して画像データを取得する撮像装置制御装置において、
　前記複数の撮像装置のそれぞれにおいて取得された複数の前記画像データにより表される複数の画像を１つの表示手段に表示するに際し、前記複数の撮像装置の被写体からの距離に応じて、前記複数の画像を異なるサイズにて前記表示手段に表示する表示制御手段を備えたことを特徴とするものである。
【００１６】
　なお、本発明による第１および第２の撮像装置制御装置においては、前記表示制御手段を、前記表示された前記複数の画像のうち選択された画像を前記表示手段に拡大表示する手段としてもよい。
【００１７】
　また、本発明による第１および第２の撮像装置制御装置を、前記複数の撮像装置のうちの一の撮像装置に設けるようにしてもよい。
【００１８】
　なお、本発明による第１および第２の撮像装置制御方法をコンピュータに実行させるためのプログラムとして提供してもよい。
【発明の効果】
【００１９】
　本発明による第１の撮像装置制御方法および装置によれば、複数の撮像装置のそれぞれにおいて取得された複数の画像データにより表される複数の画像を１つの表示手段に表示するに際し、所望とする撮像装置により取得された画像データにより表される画像が他の撮像装置により取得された画像データにより表される画像とは異なるサイズにて表示手段に表示される。このため、表示手段に表示された複数の画像を見れば、どの画像が所望とする撮像装置により取得されたものであるかを容易に認識することができる。
【００２０】
　本発明による第２の撮像装置制御方法および装置によれば、複数の撮像装置のそれぞれにおいて取得された複数の画像データにより表される複数の画像を１つの表示手段に表示するに際し、複数の撮像装置の被写体からの距離に応じて、複数の画像が異なるサイズにて表示手段に表示される。このため、表示された画像のサイズを見れば各撮像装置の被写体からの距離を容易に認識することができる。
【００２１】
　また、表示された複数の画像のうち、選択された画像を表示手段に拡大表示することにより、選択された画像の詳細を見ることができる。
【発明を実施するための最良の形態】
【００２２】
　以下図面を参照して本発明の実施形態について説明する。図１は本発明の実施形態による撮像装置制御装置を用いた遠隔カメラシステムの構成を示す概略ブロック図である。図１に示すように、本実施形態による遠隔カメラシステムは、複数（ここでは４台）のデジタルカメラ１Ａ，１Ｂ，１Ｃ，１Ｄおよびカメラサーバ２がネットワーク３により接続されてなり、デジタルカメラ１Ａ〜１Ｄにおいて取得した画像データをカメラサーバ２に送信し、カメラサーバ２において画像データの保管および管理を行うものである。なお、本実施形態においては、ネットワーク３は無線ＬＡＮを用いるものとするが、デジタルカメラ１Ａ〜１Ｄを互いに遠隔操作できるものであれば、いかなるネットワークを用いてもよい。
【００２３】
　本実施形態においては、デジタルカメラ１Ａをマスターカメラ、デジタルカメラ１Ｂ，１Ｃ，１Ｄをスレーブカメラと設定し、デジタルカメラ１Ａにおいて撮影動作を行うと、これと同時にデジタルカメラ１Ｂ，１Ｃ，１Ｄにおいて撮影を行うように、デジタルカメラ１Ｂ，１Ｃ，１Ｄの動作が制御されるものとする。
【００２４】
　なお、マスターカメラに設定されたデジタルカメラ１Ａは、デジタルカメラ１Ｂ，１Ｃ，１Ｄに撮影を行わせることなく単独で撮影を行うことが可能である。また、スレーブカメラに設定されたデジタルカメラ１Ｂ，１Ｃ，１Ｄは、デジタルカメラ１Ａからの撮影指示を受けることなく、単独で撮影を行うことが可能である。ここで、各デジタルカメラ１Ａ〜１Ｄが単独で撮影することにより取得した画像データは、カメラサーバ２に送信してもよいが、各デジタルカメラ１Ａ〜１Ｄのメモリカードに保管しておいてもよい。
【００２５】
　図２はデジタルカメラ１Ａの構成を示す背面斜視図である。なお、デジタルカメラ１Ｂ，１Ｃ，１Ｄはデジタルカメラ１Ａと同一の構成を有するため説明を省略する。図２に示すようにデジタルカメラ１Ａは、撮影しようとしている画像やメニュー等の種々の表示を行うモニタ１１と、シャッタボタン１２と、無線ＬＡＮによる通信を行う無線ＬＡＮチップ１３と、種々の入力を行う十字キー１４Ａを含む入力手段１４と、音声出力を行うスピーカ１５とを備えてなる。また、デジタルカメラ１Ａの内部には、シャッタボタン１２の半押し動作により、撮影通知情報をデジタルカメラ１Ｂ，１Ｃ，１Ｄに送信する撮影通知手段１６およびモニタ１１の表示を制御する表示制御手段１７を備える。
【００２６】
　モニタ１１には、デジタルカメラ１Ａ自身が撮影しようとしている画像およびデジタルカメラ１Ｂ，１Ｃ，１Ｄが撮影しようとしている画像の双方が表示される。この表示の制御は表示制御手段１７により行われる。
【００２７】
　図３は、モニタ１１に表示される画像を示す図である。図３に示すように、モニタ１１には、デジタルカメラ１Ａが撮影しようとする画像データにより表される画像（以下単に画像とする）を表示するウィンドウ１１Ａおよびデジタルカメラ１Ｂ，１Ｃ，１Ｄが撮影しようとする画像を表示するウィンドウ１１Ｂ，１１Ｃ，１１Ｄが表示される。なお、図３に示すようにウィンドウ１１Ａはデジタルカメラ１Ａが撮影しようとする画像であるため、他のウィンドウ１１Ｂ，１１Ｃ，１１Ｄと比較してサイズが大きいものとなっている。
【００２８】
　ここで、他のウィンドウ１１Ｂ，１１Ｃ，１１Ｄはウィンドウ１１Ａと比較してサイズが小さいため、表示された画像が見にくい場合がある。このため、ウィンドウ１１Ｂ，１１Ｃ，１１Ｄには、撮影しようとする画像の中心部分のみを表示してもよい。また、入力手段１４により選択したウィンドウ１１Ｂ，１１Ｃ，１１Ｄを拡大してモニタ１１に表示してもよい。なお、通常はウィンドウ１１Ｂ，１１Ｃ，１１Ｄには撮影しようとする画像の全体を表示し、入力手段１４の操作により、撮影しようとする画像の中心部分のみを表示してもよい。
【００２９】
　さらに、図４に示すように、ウィンドウ１１Ａ〜１１Ｄから選択したウィンドウ（ここでは１１Ｂ）を拡大表示してもよい。
【００３０】
　なお、デジタルカメラ１Ａの撮影動作により他のデジタルカメラ１Ｂ，１Ｃ，１Ｄにおいても撮影が行われるが、図５に示すように撮影したタイミングに応じて、ウィンドウ１１Ａ〜１１Ｄに枠を付与して撮影タイミングをデジタルカメラ１Ａのユーザに知らせるようにしてもよい。例えば、デジタルカメラ１Ａのシャッタボタン１２を押下すると、デジタルカメラ１Ａ，１Ｂ，１Ｃ，１Ｄの順で撮影が行われる場合には、ウィンドウ１１Ａに枠が付与された後、順次ウィンドウ１１Ｂ，１１Ｃ，１１Ｄに枠が付与される。なお、図５は、ウィンドウ１１Ｂに枠が付与された状態を示す。
【００３１】
　一方、デジタルカメラ１Ａのシャッタボタン１２の押下と同時に他のデジタルカメラ１Ｂ，１Ｃ，１Ｄにおいても撮影を行う場合には、全てのウィンドウ１１Ａ〜１１Ｄに同時に枠が付与される。
【００３２】
　なお、枠の付与に代えてウィンドウ１１Ａ〜１１Ｄを発光させる、色を変更する等により撮影タイミングをデジタルカメラ１Ａのユーザに知らせてもよい。
【００３３】
　また、ウィンドウ１１Ａのサイズは、遠隔カメラシステムに用いられているデジタルカメラの数に対応する表示画面数に応じて決定し、他のウィンドウ１１Ｂ，１１Ｃ，１１Ｄのサイズは、モニタ１１のウィンドウ１１Ａ以外の領域において他のウィンドウ１１Ｂ，１１Ｃ，１１Ｄができるだけ大きいサイズにて配置されるように決定すればよい。
【００３４】
　具体的には、デジタルカメラ１１Ａ〜１１Ｄのメモリカード（不図示）に、図６に示すような表示画面数とウィンドウサイズとの関係を表すテーブルを記憶しておき、表示画面数に基づいてこのテーブルを参照してウィンドウサイズ（ここでは１１Ａ）を決定する。そして、ウィンドウ１１Ａのサイズの決定後、モニタ１１のウィンドウ１１Ａ以外の領域において、各ウィンドウ１１Ｂ，１１Ｃ，１１Ｄができるだけ大きいサイズで配置されるように各ウィンドウ１１Ｂ，１１Ｃ，１１Ｄのサイズを決定する。なお、図６に示すテーブルはデジタルカメラ１Ａのユーザにより任意に書き換えることが可能なものである。
【００３５】
　ここで、表示画面数が４の場合には図３に示すようにウィンドウ１１Ａ〜１１Ｄを配置すればよいが、表示画面数に応じてウィンドウの配置も種々異なるものとなる。例えば、表示画面数が１，２，３および８の場合には、ウィンドウの配置はそれぞれ図７（ａ）〜（ｄ）に示すものとなる。なお、表示画面数が異なっても画像のアスペクト比は保存することが好ましい。
【００３６】
　ところで、スレーブカメラであるデジタルカメラ１Ｂ，１Ｃ，１Ｄにおいてもモニタ１１にデジタルカメラ１Ａが撮影しようとする画像を表示するウィンドウ１１Ａおよびデジタルカメラ１Ｂ，１Ｃ，１Ｄが撮影しようとする画像を表示するウィンドウ１１Ｂ，１１Ｃ，１１Ｄが表示されるが、自身のデジタルカメラ１Ｂ，１Ｃ，１Ｄにおいて撮影しようとする画像が他のデジタルカメラにおいて撮影しようとする画像よりもウィンドウのサイズが大きくされる。
【００３７】
　例えば、デジタルカメラ１Ｂのモニタ１１には、図８に示すように自身が撮影しようとする画像を表示するウィンドウ１１Ｂが他のデジタルカメラ１Ａ，１Ｃ，１Ｄが撮影しようとする画像を表示するウィンドウ１１Ａ，１１Ｃ，１１Ｄよりも大きいサイズとされている。
【００３８】
　シャッタボタン１２は、半押し動作によりフォーカスおよび測光を行い、全押し動作によりシャッタを駆動して撮影を行うものである。ここで、本実施形態においては、シャッタボタン１２の半押し動作により、撮影通知手段１６が駆動され、無線ＬＡＮチップ１３からネットワーク３経由で、デジタルカメラ１Ｂ，１Ｃ，１Ｄに対して撮影通知情報が送信される。撮影通知情報はこれから撮影が行われることをデジタルカメラ１Ｂ，１Ｃ，１Ｄに通知するための情報であり、デジタルカメラ１Ｂ，１Ｃ，１Ｄは、撮影通知情報に基づいてデジタルカメラ１Ｂ，１Ｃ，１Ｄのユーザに撮影通知を行う。
【００３９】
　具体的には、チャイム音、ビープ音、「撮影します」、「カメラを構えて下さい」の音声をデジタルカメラ１Ｂ，１Ｃ，１Ｄのスピーカ１５から出力させることにより撮影通知を行えばよい。また、図５に示すように、デジタルカメラ１Ｂ，１Ｃ，１Ｄのモニタ１１に、「撮影します」、「カメラを構えて下さい」等のメッセージを表示して撮影通知を行ってもよく、メッセージと音声とを組み合わせて撮影通知を行ってもよい。さらには、モニタ１１自体を点滅させたり、モニタ１１の表示色を反転させたり、カメラ自体を振動させる等して撮影通知を行ってもよい。
【００４０】
　そしてこのように撮影通知が行われた後、デジタルカメラ１Ａのシャッタボタン１２を全押しすることにより、デジタルカメラ１Ａにおいて撮影が行われるとともに、デジタルカメラ１Ｂ，１Ｃ，１Ｄにおいても同時に撮影が行われる。なお、撮影のタイミングは同時のみならず、上述したように、一定時間遅延させて、順次デジタルカメラ１Ｂ，１Ｃ，１Ｄにおいて連続した撮影を行わせるものであってもよい。
【００４１】
　無線ＬＡＮチップ１３は、無線ＬＡＮによるネットワーク３経由の通信を行うためのものであり、通信に必要な認証情報を記憶するメモリ、通信インターフェース等を備えてなるものである。
【００４２】
　カメラサーバ２は、デジタルカメラ１Ａ〜１Ｄにおいて取得された画像データを保管および管理するためのものであり、大容量のハードディスクを備えてなる。すなわち、デジタルカメラ１Ａが撮影を行うことにより、デジタルカメラ１Ｂ，１Ｃ，１Ｄにおいて撮影が行われて、各デジタルカメラ１Ａ〜１Ｄにおいて同時に４つの画像データが取得されるが、各デジタルカメラ１Ａ〜１Ｄからは画像データがカメラサーバ２に送信されて、ここで画像データが保管される。
【００４３】
　また、カメラサーバ２は、遠隔操作が行われるデジタルカメラ１Ａ〜１Ｄの機種、カメラを識別するＩＤ、マスターカメラかスレーブカメラであるかの情報を管理する。また、本実施形態においては、１度の撮影により４つの画像データがカメラサーバ２に送信されるが、カメラサーバ２は重複しないようにファイル名を画像データに付与して画像データを保管する。また、保管される画像データがいずれのデジタルカメラ１Ａ〜１Ｄにおいて取得されたものであるかが分かるように、ファイル名を管理する。
【００４４】
　次いで、本実施形態において行われる処理について説明する。図９は、本実施形態において画像データのカメラサーバ２への保管時に行われる処理を示すフローチャートである。まず、デジタルカメラ１Ａのモニタ１１に、デジタルカメラ１Ａにより取得された撮影しようとする画像、および他のデジタルカメラ１Ｂ，１Ｃ，１Ｄにより取得された撮影しようとする画像が図３に示すように表示される（ステップＳ１）。なお、他のデジタルカメラ１Ｂ，１Ｃ，１Ｄにも同時にデジタルカメラ１Ａ〜１Ｄにより取得された撮影しようとする画像が表示される。デジタルカメラ１Ａのユーザは、モニタ１１を見ながらシャッタチャンスにシャッタボタン１２を押下する。デジタルカメラ１Ａにおいては、シャッタボタン１２が全押しされて撮影指示がなされたか否かが監視されており（ステップＳ２）、ステップＳ２が肯定されると、デジタルカメラ１Ａにより撮影が行われ（ステップＳ３）、撮影により取得された画像データがカメラサーバ２に送信される（ステップＳ４）。
【００４５】
　これと同時に、他のデジタルカメラ１Ｂ，１Ｃ，１Ｄにより撮影が行われ（ステップＳ５）、撮影により取得された画像データがカメラサーバ２に送信される（ステップＳ６）。
【００４６】
　そして、カメラサーバ２においては、画像データが受信され（ステップＳ７）、受信された画像データが保管され（ステップＳ８）、処理を終了する。
【００４７】
　このように、本実施形態においては、デジタルカメラ１Ａ〜１Ｄにより取得された撮影しようとする複数の画像データにより表される複数の画像を、マスターカメラであるデジタルカメラ１Ａのモニタ１１に表示するに際し、デジタルカメラ１Ａにより取得された撮影しようとする画像が他のデジタルカメラ１Ｂ，１Ｃ，１Ｄカメラにより取得された撮影しようとする画像よりも大きいサイズのウィンドウ１１Ａによりモニタ１１に表示するようにしたものである。このため、デジタルカメラ１Ａのモニタ１１に表示された複数の画像を見れば、どの画像がデジタルカメラ１Ａにより取得された撮影しようとする画像であるかを容易に認識することができる。
【００４８】
　なお、上記実施形態においては、図１０に示すようにカメラサーバ２にモニタ２Ａを設け、モニタ２Ａにおいてデジタルカメラ１Ａ〜１Ｄにより取得された画像を表示してもよい。この場合、カメラサーバ２が指定した所望とするデジタルカメラ（１Ａとする）により取得された撮影しようとする画像を、他のデジタルカメラ１Ｂ，１Ｃ，１Ｄにより取得された撮影しようとする画像よりも大きいサイズのウィンドウ１１Ａに表示すればよい。
【００４９】
　またこの場合、デジタルカメラ１Ａ〜１Ｄの位置を検出し、デジタルカメラ１Ａ〜１Ｄの位置関係に基づいてデジタルカメラ１Ａ〜１Ｄの被写体および被写体からの距離を求め、デジタルカメラ１Ａ〜１Ｄの被写体からの距離に応じて、ウィンドウ１１Ａ〜１１Ｄのサイズを変更してモニタ２Ａに表示してもよい。図１１は、デジタルカメラ１Ａ〜１Ｄの被写体からの距離に応じてモニタ２Ａに表示されたウィンドウの例を示す図である。なお、図１１においては、被写体に近い位置にあるデジタルカメラ１Ａ〜１Ｄにより取得された撮影しようとする画像を表示するウィンドウほどそのサイズが大きくされてなる。ここで、図１１においては、ウィンドウ１１Ａ、１１Ｂ，１１Ｃ，１１Ｄの順でサイズが小さくなるため、デジタルカメラ１Ａが最も被写体に近い位置にあり、デジタルカメラ１Ｂ，１Ｃ，１Ｄの順で被写体から遠ざかっていることが分かる。なお、図１１においてモニタ２Ａの中央付近に表示されている円柱状の物体が被写体を表すものである。
【００５０】
　なお、図１１に示す画像の表示を、モニタ２Ａに代えて、各デジタルカメラ１１Ａ〜１１Ｄのモニタ１１において行ってもよい。
【００５１】
　ここで、デジタルカメラ１Ａ〜１Ｄの位置は、ＧＰＳ衛星からの測位用電波を受信してこれをＧＰＳ情報として出力するＧＰＳ手段をデジタルカメラ１Ａ〜１Ｄに設け、ＧＰＳ手段により取得されたＧＰＳ情報をデジタルカメラ１Ａ〜１Ｄからカメラサーバ２に送信することにより、カメラサーバ２において検出することができる。そして、デジタルカメラ１Ａ〜１Ｄの位置関係に基づいて被写体の位置を求め、この被写体の位置から各デジタルカメラ１Ａ〜１Ｄの距離を求めて、ウィンドウ１１Ａ〜１１Ｄのサイズを決定すればよい。
【００５２】
　また、デジタルカメラ１Ａ〜１Ｄの入力手段１４から自身のカメラの位置を入力し、これを位置情報としてカメラサーバ２に送信することにより、カメラサーバ２においてデジタルカメラ１Ａ〜１Ｄの位置を検出してもよい。
【００５３】
　また、デジタルカメラ１Ａ〜１Ｄに携帯電話通信網の電波を送受信する機能を設け、送受信される電波を携帯電話通信網の基地局において受信し、この電波の強弱を表す情報をカメラサーバ２が携帯電話通信網の運営会社から入手することにより、デジタルカメラ１Ａ〜１Ｄの位置を検出してもよい。
【００５４】
　なお、上記実施形態においては、カメラサーバ２においてデジタルカメラ１Ａ〜１Ｄにより取得された画像データを保管しているが、カメラサーバ２を設けることなく、マスターカメラであるデジタルカメラ１Ａにおいて、自身が取得した画像データおよび他のデジタルカメラ１Ｂ，１Ｃ，１Ｄが取得した画像データを保管してもよい。この場合、デジタルカメラ１Ｂ，１Ｃ，１Ｄからは、デジタルカメラ１Ａに直接画像データが送信される。なお、任意の１のスレーブカメラに、他のスレーブカメラおよびマスターカメラであるデジタルカメラ１Ａから画像データを直接送信し、その１のスレーブカメラにおいて画像データを保管してもよい。この場合、デジタルカメラ１Ａ〜１Ｄ間の通信は、図１２に示すように、デジタルカメラ１Ａ〜１Ｄ同士で直接データのやりとりを行うピア・ツー・ピア通信方式を用いればよい。なお、ピア・ツー・ピア通信方式においては、デジタルカメラ１Ａ〜１Ｄ間のデータ転送は、データを発信するデジタルカメラから送信先のデジタルカメラへ向けて直接情報パケットを転送することにより行われる。
【００５５】
　また、上記実施形態において、マスターカメラおよびスレーブカメラの関係を各デジタルカメラ１Ａ〜１Ｄにおいて任意に切り替えられるようにしてもよい。
【００５６】
　また、上記実施形態においては、デジタルカメラ１Ａ〜１Ｄを用いた遠隔カメラシステムについて説明しているが、携帯電話、ＰＤＡ等のカメラ付きの携帯端末装置を用いて遠隔カメラシステムを構成することも可能である。この場合、カメラ付きの携帯端末装置とデジタルカメラとが混在したシステムであってもよい。なお、カメラ付き携帯端末装置はデジタルカメラ１Ａ〜１Ｄとは異なり、専用のシャッタボタンを含む撮影のための各種操作を行うための専用のボタンが設けられず、携帯端末装置の操作ボタンが撮影のための各種操作を行うボタンを兼用してなるものである。
【図面の簡単な説明】
【００５７】
【図１】本発明の実施形態による撮像装置制御装置を用いた遠隔カメラシステムの構成を示す概略ブロック図
【図２】デジタルカメラの構成を示す背面斜視図
【図３】モニタに表示される画像を示す図（その１）
【図４】モニタに表示される画像を示す図（その２）
【図５】モニタに表示される画像を示す図（その３）
【図６】表示画面数とウィンドウのサイズとの関係を表すテーブルを示す図
【図７】表示画面数に応じたウィンドウの配置の態様を示す図
【図８】モニタに表示される画像を示す図（その４）
【図９】本実施形態において行われる処理を示すフローチャート
【図１０】本発明の他の実施形態による撮像装置制御装置を用いた遠隔カメラシステムの構成を示す概略ブロック図
【図１１】デジタルカメラの被写体からの距離に応じてカメラサーバのモニタに表示されたウィンドウの例を示す図
【図１２】ピア・ツー・ピアの通信方式を説明するための図
【符号の説明】
【００５８】
　　　１Ａ〜１Ｄ　　デジタルカメラ
　　　２　　カメラサーバ
　　　３　　ネットワーク
　　　１１，２Ａ　　モニタ
　　　１１Ａ〜１１Ｄ　　ウィンドウ
　　　１２　　シャッタボタン
　　　１３　　無線ＬＡＮチップ
　　　１４　　入力手段
　　　１５　　スピーカ
　　　１６　　撮影通知手段
　　　１７　　表示制御手段
【図１】
2004112771.tif 000003
【図２】
2004112771.tif 000004
【図３】
2004112771.tif 000005
【図４】
2004112771.tif 000006
【図５】
2004112771.tif 000007
【図６】
2004112771.tif 000008
【図７】
2004112771.tif 000009
【図８】
2004112771.tif 000010
【図９】
2004112771.tif 000011
【図１０】
2004112771.tif 000012
【図１１】
2004112771.tif 000013
【図１２】
2004112771.tif 000014